(57)【要約】【課題】施設の運転中に流体の漏洩を簡便に止めることができ、しかも漏洩の再発を低減可能な配管補修方法を提供する。【解決手段】本発明の配管補修方法は、複数の配管を連結する継手部１における流体の漏洩を止める配管補修方法である。継手部１を収容する中空容器２を取付けるとともに中空容器２の内面と継手部１との間に硬化型の封止剤Ｑ１を充填する工程と、封止剤を充填する工程の後に封止剤Ｑ１を硬化させる工程と、を有する。【選択図】図３
2011007308.tif 000002
【特許請求の範囲】
【請求項１】
複数の配管を連結する継手部における流体の漏洩を止める配管補修方法であって、
継手部を収容する中空容器を取付けるとともに該中空容器の内面と前記継手部との間に硬化型の封止剤を充填する工程と、
前記封止剤を充填する工程の後に前記封止剤を硬化させる工程と、を有することを特徴とする配管補修方法。
【請求項２】
前記継手部は、前記複数の配管の間に接続された筒状部品と前記配管の外側に取付けられた接合部品とを含み、
前記筒状部品は、前記複数の配管の間に介在して該筒状部品の内側に流体を通すように接続されており、
前記接合部品が前記筒状部品と前記配管とを互いに圧着させるように前記配管の外側から締付けることにより、前記筒状部品が前記配管と接合されていることを特徴とする請求項１に記載の配管補修方法。
【請求項３】
前記封止剤が反応硬化型であることを特徴とする請求項１又は２に記載の配管補修方法。
【請求項４】
前記中空容器は、前記継手部の中心軸周りの周方向で複数の容器片に分割されており、
前記封止剤を充填する工程では、前記複数の容器片が全体として前記周方向の略全周にわたって前記継手部を環状に囲むように前記複数の容器片を接合することにより、該中空容器を取付けることを特徴とする請求項１〜３のいずれか一項に記載の配管補修方法。
【請求項５】
前記封止剤を充填する工程では、前記中空容器を取付けた後に該中空容器内の鉛直下方側から鉛直上方側に向かって前記封止剤を充填することを特徴とする請求項１〜４のいずれか一項に記載の配管補修方法。
【請求項６】
前記中空容器の鉛直下方の端部に注入口が設けられており、
前記封止剤を充填する工程では、前記注入口から前記封止剤を注入して該中空容器内に前記封止剤を充填することを特徴とする請求項５に記載の配管補修方法。
【請求項７】
前記封止剤の粘度が１０００センチポアズ以下である状態で該封止剤を前記中空容器内に充填することを特徴とする請求項５又は６に記載の配管補修方法。
【請求項８】
前記封止剤を充填する工程は、前記中空容器の内面に対応する前記複数の容器片の面に前記封止剤を設けた後に該複数の容器片を接合することにより、前記中空容器を形成するとともに前記封止剤を該中空容器内に充填することを特徴とする請求項４に記載の配管補修方法。
【請求項９】
前記封止剤の粘度が１５００センチポアズ以上３０００センチポアズ以下である状態で該封止剤を前記中空容器内に充填することを特徴とする請求項８に記載の配管補修方法。
【発明の詳細な説明】
【技術分野】
【０００１】
本発明は、配管の継手部における流体の漏洩を止める配管補修方法に関する。
【背景技術】
【０００２】
従来から発電プラントや化学プラント等の施設では、流体を配管系に流通させることにより熱や物質を輸送する技術が多用されている。一般に配管系は、複数の配管を継手等によって連結することにより構成される。継手は、例えば概略筒状のものであり、流体の流入口、流出口を含んでいる。継手の端部は、配管の流入口又は流出口を含んだ端部と機械接合や溶接により接合される。機械接合による場合には、例えば配管の端部と継手の端部の一方を他方に挿通し、これら端部を同軸状に重ねた状態でナット等の接合部品により締め付ける。これにより、配管の表面が継手の表面と圧着して、流体が配管と継手との界面を通り難くなり、理想的には流体を漏洩させずに配管を連結することができる。
【０００３】
配管と継手が元々は互いに独立した部材であるので、実際には継手部で流体の漏洩を生じることがよくある。例えば、継手と配管との間の圧着力が不足していると、連結直後から微量の流体の漏洩を生じることがある。また、機械接合、溶接のいずれによる継手部であっても、継手部の経時劣化等により漏洩を生じることがある。
【０００４】
流体の漏洩を止める従来の補修方法として、配管内の流体を抜き取り、継手を交換する方法がある。この方法では、施設の一部又は全部について運転を停止する必要があり、施設の稼働率が低下してしまう。施設を効率的に稼働させる観点で、施設の運転時に施工可能な補修方法の確立が望まれている。
【０００５】
運転時に施工可能な補修方法として、継手部に接着剤等の樹脂材料を塗布等により盛り付けた後に、樹脂材料を硬化させて漏洩部分を被覆する方法が用いられることがある。この方法では、樹脂材料の塗布ムラ等に起因して、硬化した樹脂に隙間を生じることがある。樹脂内の隙間が樹脂外部まで通じると、隙間が流体の漏洩経路（リークパス）となり、流体の漏洩を再発してしまう。特に、継手部が接合部品を含んでおり複雑形状になっている場合には、継手部を隙間なく被覆して樹脂材料を塗布することが難しいので、漏洩を再発する確率が高くなる。
【０００６】
接着剤を隙間無く充填する技術としては、特許文献１に開示されている技術が挙げられる。特許文献１では、互いに突合わされたガラス板間に接着剤を充填しており、接着剤を充填すべき部分の一方向から接着剤を供給するとともに、接着剤が埋め込まれる先から接着剤を吸引している。このようにすれば、接着剤を充填すべき部分のガスが吸引され、ガスの混入により接着剤に隙間を生じることが防止される。
【先行技術文献】
【特許文献】
【０００７】
【特許文献１】特開２０００−３１９５９８号公報
【発明の概要】
【発明が解決しようとする課題】
【０００８】
特許文献１の技術は、接着剤を充填すべき部分からガスを容易に吸引可能な場合には有効であると考えられる。しかしながら、ガラス板と配管とでは形状が異なるので、特許文献１の技術を配管の補修に直接的に適用することは容易でない。例えば、特許文献１の技術を適用して継手の端部と配管の端部との隙間に接着剤を充填するには、接着剤を配管の外部から供給するとともに配管内から吸引すればよい。しかしながら、この方法は配管内から吸引するために配管内の流体を抜き取る必要があり、施設の運転時に施工することが難しい。
【０００９】
このように従来の補修方法では、運転時に施工することが難しく、運転時に施工可能であっても漏洩を再発しやすいので、施設の稼働率を改善することが難しい。
本発明は、このような事情に鑑み成されたものであって、施設の運転中に流体の漏洩を簡便に止めることができ、しかも漏洩の再発を低減可能な配管補修方法を提供することを目的の１つとする。
【課題を解決するための手段】
【００１０】
本発明は、前記目的を達成するために以下の手段を採用している。
本発明の配管補修方法は、複数の配管を連結する継手部における流体の漏洩を止める配管補修方法であって、継手部を収容する中空容器を取付けるとともに該中空容器の内面と前記継手部との間に硬化型の封止剤を充填する工程と、前記封止剤を充填する工程の後に前記封止剤を硬化させる工程と、を有することを特徴とする。
【００１１】
このようにすれば、継手部の周囲の空間が中空容器により仕切られるので、中空容器内に封止剤を隙間なく充填することが可能になる。したがって、硬化後の封止剤に隙間を生じることが低減され、継手部が硬化後の封止剤により隙間なく被覆されるので、流体の漏洩を止めることができる。硬化後の封止剤に隙間を生じることが低減されているので、硬化後の封止剤に流体の漏洩経路が形成されることが低減され、漏洩の再発を低減することができる。
【００１２】
本発明に係る配管補修方法は、代表的な態様として以下のような態様をとりえる。
前記継手部は、前記複数の配管の間に接続された筒状部品と前記配管の外側に取付けられた接合部品とを含み、前記筒状部品は、前記複数の配管の間に介在して該筒状部品の内側に流体を通すように接続されており、前記接合部品が前記筒状部品と前記配管とを互いに圧着させるように前記配管の外側から締付けることにより、前記筒状部品が前記配管と接合されているとよい。
【００１３】
このようにすれば、接合部品が配管の外側に取付けられているので、接合部品の締付力を制御することが容易になり、適切な締付力で筒状部品を配管と接合させることができる。筒状部品と前記配管とが締付力により圧着するので、筒状部品を配管と機械的に接合することができ、溶接による接合と比較して簡易な施工で筒状部品を配管と接合させることができる。このような継手部において、接合部品が配管の外側に取付けられているので、継手部の表面は、配管の表面に対して段差を有する複雑形状になっている。本発明にあっては中空容器内に封止剤を隙間なく充填することができるので、前記段差を埋めて封止剤を充填することができる。したがって、複雑形状の継手部に対しても継手部を隙間なく被覆することができ、漏洩の再発を低減することができる。
【００１４】
前記封止剤が反応硬化型であるとよい。
このようにすれば、硬化の際に溶媒の揮発ガスにより細孔や隙間を封止剤に生じることが防止される。
【００１５】
前記中空容器は、前記継手部の中心軸周りの周方向で複数の容器片に分割されており、前記封止剤を充填する工程では、前記複数の容器片が全体として前記周方向の略全周にわたって前記継手部を環状に囲むように前記複数の容器片を接合することにより、該中空容器を取付けるとよい。
【００１６】
このようにすれば、中空容器が周方向の略全周にわたって継手部を環状に囲むので、継手部を隙間なく被覆することができる。また、中空容器が中心軸周りの周方向で複数の容器片に分割されているので、周方向の略全周にわたって継手部を囲むように中空容器を取付けることが容易になる。
【００１７】
前記封止剤を充填する工程では、前記中空容器を取付けた後に該中空容器内の鉛直下方側から鉛直上方側に向かって前記封止剤を充填するとよい。この場合には、前記中空容器の鉛直下方の端部に注入口が設けられており、前記封止剤を充填する工程では、前記注入口から前記封止剤を注入して該中空容器内に前記封止剤を充填するとよい。また、前記封止剤の粘度が１０００センチポアズ以下である状態で該封止剤を前記中空容器内に充填するとよい。
【００１８】
中空容器内の鉛直下方側から鉛直上方側に向かって封止剤を充填すれば、中空容器内のガスが封止剤に混入することが低減され、ガスの混入により封止剤に隙間を生じることが低減される。
中空容器の鉛直下方の端部に注入口が設けられており、注入口から封止剤を注入すれば、封止剤が中空容器内の鉛直下方側から漸次充填され、封止剤へのガスの混入が低減される。
充填された段階の封止剤の粘度が１０００センチポアズ（ｃＰ）以下であれば、仮に封止剤にガスが混入した場合でもガスが鉛直上方に浮上して封止剤から分離するので、充填された封止剤にガスが残留することが低減される。また、継手部が複雑形状であっても、封止剤が継手部の表面に良好に追従して充填されるので、封止剤に隙間を生じることが低減される。
【００１９】
前記封止剤を充填する工程は、前記中空容器の内面に対応する前記複数の容器片の面に前記封止剤を設けた後に該複数の容器片を接合することにより、前記中空容器を形成するとともに前記封止剤を該中空容器内に充填するとよい。この場合には、前記封止剤の粘度が１５００センチポアズ以上３０００センチポアズ以下である状態で該封止剤を前記中空容器内に充填するとよい。
【００２０】
このようにすれば、中空容器の内面となる面が外部に露出した状態で封止剤を設けるので、封止剤の分布を管理することが容易になり、封止剤のムラを減らすことができる。
特に中空容器の内面側において、封止剤が継手部から漏洩する流体に接触する確率が低くなり、封止剤に流体が混入し難くなる。したがって、封止剤の外周側の縁部に流体の混入による隙間を生じることが格段に低減され、仮に継手部の近傍において封止剤に隙間が生じた場合でもこの隙間を通る流体を外周側の縁部で遮ることができる。
充填された段階の封止剤の粘度が１５００センチポアズ以上３０００センチポアズ以下であれば、容器片から封止剤が流れ出すことが防止され、作業性の低下を回避可能であるとともに、所望の量の封止剤を中空容器内に留めることができる。また、継手部から漏洩する流体が封止剤と混ざり難くなるので、流体の混入による隙間を生じることが低減される。
【発明の効果】
【００２１】
本発明の配管補修方法によれば、継手部を硬化した封止剤で隙間なく被覆することができ、配管に流体が流通している状態であっても施工することができる。したがって、施設の一部又は全部の運転を停止することなく流体の漏洩を止めることができ、施設の稼働率を低下させることなく配管系を正常に機能させることができる。また、硬化した封止剤に隙間を生じることが低減されるので、隙間が流体の漏洩経路になることが低減される。したがって、漏洩を再発することが格段に低減され、長期間にわたって補修の効果を持続させることができる。よって、定期メンテナンス等の継手交換機会の間に補修を行う頻度を減らすことが可能になり、施設の稼働率を改善することができる。
【図面の簡単な説明】
【００２２】
【図１】配管系の継手部の一例を示す斜視図、側面図、分解図である。
【図２】第１実施形態の容器取付け工程を示す斜視図、側断面図である。
【図３】（ａ）〜（ｃ）は、封止剤充填工程を示す断面工程図である。
【図４】封止剤の粘度の時間変化を示す概念図である。
【図５】（ａ）は、第２実施形態の容器取付け工程を示す斜視図、（ｂ）は粘度の時間変化を示す概念図である。
【図６】（ａ）、（ｂ）は、継手部と中空容器の変形例を示す図である。
【発明を実施するための形態】
【００２３】
以下、図面を参照しつつ本発明の実施形態を説明する。説明に用いる図面において、特徴的な部分を分かりやすく示すために、図面中の構造の寸法や縮尺を実際の構造に対して異ならせている場合がある。実施形態において同様の構成要素については、同じ符号を付して図示し、その詳細な説明を省略する場合がある。
【００２４】
［第１実施形態］
第１実施形態の配管補修方法を説明するのに先立ち、まず配管系の継手部の一例を説明する。
図１（ａ）は、配管系の継手部の一例を示す斜視図、図１（ｂ）は継手部の側面図、図１（ｃ）は継手部の分解図である。図１（ａ）〜（ｃ）に示すように継手部１は、配管１０、１１の端部と、筒状部品１２と、接合部品１３、１４とを含んでいる。筒状部品１２及び接合部品１３、１４は、継手の部品である。
【００２５】
配管１０、１１は、接合部品１３、１４に挿通されている。配管１０、１１の端部は、筒状部品１２の端部に挿入されている。接合部品１３、１４は、筒状部品１２と螺合されている。接合部品１３、１４が筒状部品１２を締付けることにより、筒状部品１２が配管１０、１１と接合されている。以下、継手部１の構成要素について説明する。
【００２６】
本例の配管１０、１１は直管型のものである。継手部１は、配管１０、１１の中心軸Ａ１と略平行な軸方向Ｄ１に延在している。中心軸Ａ１に直交する配管１０、１１の断面形状は、周方向Ｄ２に沿う略円環状になっている。配管１０、１１の端部は、流体の流入口又は流出口を含んでいる。
【００２７】
筒状部品１２は、軸方向Ｄ１に延在する中空の部材である。筒状部品１２の内面１２０は、筒状部品１２の一端から他端に貫通する貫通孔の壁面になっている。この貫通孔の内径は、筒状部品１２の両端部において配管１０、１１の外径と同程度になっており、筒状部品１２の中央部において配管１１、１２の外径よりも小さくなっている。配管１０、１１の端部は、筒状部品１２の端部に挿入されており、配管１０、１１の先端は貫通孔の内径が変化する部分と突合されている。筒状部品１２の両端部は、外面側にネジ山が設けられたネジ部１２１、１２２になっている。ここでは、ネジ部１２１、１２２間に位置する部分が六角ナット形状になっており、ネジ部１２１、１２２間をレンチ等で支持することが可能になっている。
【００２８】
接合部品１３、１４は、同様の構成のものである。接合部品１３の内面１３０には、ネジ部１２１のネジ山と噛み合わされるネジ溝が設けられている。ここでは、接合部品１３の外形が六角ナット形状になっている。筒状部品１２をレンチ等で支持するとともに接合部品１３にレンチ等でトルクをかけて、接合部品１３を筒状部品１２に螺合することが可能になっている。接合部品１３がネジ部１２１に螺合されると、接合部品１３は筒状部品１２を締付けて配管１０に押圧する。これにより、筒状部品１２の内面１２０が配管１０の外面と圧着する。理想的には、流体が筒状部品１２の内面１２０と配管１０の外面との界面を通らなくなり、流体の漏洩が防止される。配管１０、１１の一方から流出した流体は、筒状部品１２内を通り、他方に流入する。
【００２９】
以上のような構成の継手部１には、通常同様に流体の漏洩を防止する工夫がなされているが、配管１０、１１と筒状部品１２とが独立した部品であるので、実際には流体が漏洩してしまうことがある。以下、継手部１の構成に基づいて、流体の漏洩を止める配管補修方法について説明する。
【００３０】
第１実施形態の配管補修方法は、概略すると以下のように施工する。まず、継手部１を収容可能な中空容器を取付ける（容器取付け工程）。次いで、中空容器内に硬化型の封止剤を充填する（封止剤充填工程）。次いで、充填された封止剤を硬化させ、少なくとも配管１０、１１の端部と筒状部品１２と接合部品１３、１４とを、硬化後の封止剤により被覆する。
【００３１】
図２（ａ）は、容器取付け工程を模式的に示す斜視図であり、図２（ｂ）は取付けられた容器の断面と継手部１とを示す図である。
図２（ａ）、（ｂ）に示すように、本実施形態では継手部１を囲んで容器片２０、２１を接合することにより、容器片２０、２１からなる中空容器２を取付ける。本実施形態の中空容器２は、中空の略柱状のものであり、中空容器２の中心軸は軸方向Ｄ１と略平行になっている。容器片２０、２１は、この中心軸を含む面で中空容器２を分割した形状になっている。
【００３２】
容器片２０は、筒状部２２、天板部２３、底板部２４を含んでいる。筒状部２２は、軸方向Ｄ１を軸とする半円筒形状になっている。筒状部２２において軸方向Ｄ１の一方の端部は天板部２３と連続しており、他方の端部は底板部２４と連続している。天板部２３、底板部２４は、板状の部分であり、面方向が軸方向Ｄ１と略直交している。ここでは、底板部２４を天板部２３に対して鉛直下方側に配置する。底板部２４を貫通して、注入口２５が設けられている。
【００３３】
天板部２３に切欠２６が設けられており、底板部２４に切欠２７が設けられている。切欠２６、２７の端は、略半円形状になっている。切欠２６の半円形状の内径は、配管１１の外径と同程度である。切欠２７の半円形状の内径は、配管１０の外径よりも大きくなっている。容器片２０、２１が組み立てられた状態で、切欠２６は配管１０の逃げ部になり、切欠２７は配管１１の逃げ部になる。容器片２０の側方（水平方向）の端面は、容器片２１側と当接する接合面２８になっている。
容器片２１は、容器片２０とほぼ同様の構造になっており、注入口２５が設けられていない点で容器片２０と異なっている。
【００３４】
容器片２０、２１を組み立てるには、切欠２６を除いた接合面２８に接着剤を塗布する。そして、容器片２０、２１の接合面２８を向かい合わせて、継手部１を挟み込むように容器片２０、２１を当接させる。そして、図２（ｂ）に示すように、中空容器２の周方向にバンド３０、３１を巻回して締め上げ、バンド３０、３１を結束することにより容器片２０、２１を固定する。そして、接合面２８に塗布した接着剤を硬化させる。切欠２７において、中空容器２と継手部１との間に隙間がある場合には、この隙間を接着剤や粘着剤等で塞いでおく。以上のようにして中空容器２を継手部１に取付ける。
【００３５】
図３（ａ）〜（ｃ）は、封止剤充填工程を模式的に示す断面工程図である。中空容器２に硬化型の封止剤Ｑ１を充填するには、図３（ａ）に示すように、充填装置３２を中空容器２の注入口２５と接続する。充填装置３２は、例えば充填ガンや注射器等であり、封止剤Ｑ１を加圧して吐出するものである。
【００３６】
硬化型の封止剤としては、配管系を流通する流体に対して耐食性を示す材質のものを適宜選択して用いることができ、特に組成物が反応することにより硬化する反応硬化型の封止剤を用いるとよい。このような反応硬化型の封止剤としては、例えば２液混合型接着剤、熱硬化型樹脂、光硬化型樹脂等が挙げられる。反応硬化型の封止剤であれば、硬化の際に溶媒の揮発ガスがほとんど発生しない、あるいは少ないので、封止剤中に揮発ガスによる細孔や間隙を生じることが低減ないし防止される。ここでは、反応硬化型の封止剤Ｑ１としてエポキシ系の２液混合型接着剤を用いる。２液混合型接着剤を採用すれば、光硬化型樹脂や熱硬化型樹脂等と比較して、硬化させるための器具を簡便にあるいは不要にすることができ、簡便に施工することができる。
【００３７】
図３（ｂ）に示すように、充填装置３２により封止剤Ｑ１を中空容器２内に圧入して充填する。鉛直下方側に位置する注入口２５から封止剤Ｑ１を供給するので、封止剤Ｑ１が中空容器２内の鉛直下方側から鉛直上方側に向かって充填される。中空容器２内のガスは、切欠２６と継手部１との間の隙間から排気され、充填される封止剤Ｑ１に中空容器２内のガスが混入し難くなる。
【００３８】
図４は、封止剤Ｑ１の粘度の時間変化を示す概念図である。図４の横軸は封止剤Ｑ１の硬化開始からの時間、すなわち２液を混合してからの時間を示す。図４の縦軸は、封止剤Ｑ１の粘度（硬化度）を示す。図４に示すように２液混合型接着剤は、２液混合後の時間経過とともに重合度等の反応率が高くなり、粘度が高くなる。すなわち、粘度を時間管理により制御することが可能である。
【００３９】
充填時の封止剤Ｑ１の粘度としては、１０００センチポアズ（ｃＰ）以下にするとよく、特に５００ｃＰ以下にすることが好ましい。封止剤Ｑ１の粘度を１０００ｃＰ以下にすれば、複雑形状の継手部１において配管１０、１１の表面から突出した部分の陰等に封止剤Ｑ１をいきわたらせることができる。封止剤Ｑ１の粘度を５００ｃＰ以下にすれば、継手部１の細部まで封止剤Ｑ１をいきわたらせることができる。また、充填時の封止剤Ｑ１の粘度が低いほど、封止剤Ｑ１にガスが混入した場合にガスが浮力により浮上しやすくなるので、充填された封止剤Ｑ１にガスが残留し難くなる、
【００４０】
充填時の封止剤Ｑ１の粘度を管理するには、封止剤Ｑ１の硬化開始からの時間を管理すればよい。封止剤Ｑ１の粘度が５００ｃＰになる時間をｔ１、１０００ｃＰになる時間をｔ２とすると、封止剤Ｑ１をｔ２経過前に充填を完了させるとよく、ｔ１経過前に充填を完了させることが好ましい。
【００４１】
図３（ｃ）に示すように、本実施形態では切欠２６から封止剤Ｑ１が溢れる程度まで封止剤Ｑ１を充填する。継手部１の周囲の空間が中空容器２により外部から仕切られるので、中空容器２内に封止剤Ｑ１を隙間なく充填することができる。そして、充填された封止剤Ｑ１を硬化させ、硬化した封止剤Ｑ１により継手部１を被覆して封止する。
【００４２】
以上のような第１実施形態の配管補修方法にあっては、中空容器２内に封止剤Ｑ１を隙間なく充填することができる。したがって、継手部１が硬化後の封止剤により隙間なく被覆され、流体の漏洩を止めることができる。また、硬化後の封止剤Ｑ１に隙間を生じることが低減されているので、硬化後の封止剤Ｑ１に流体の漏洩経路が形成されることが低減され、漏洩の再発を低減することができる。
【００４３】
［第２実施形態］
次に、配管補修方法の第２実施形態を説明する。第２実施形態が第１実施形態と異なる点は、中空容器を形成するとともに中空容器内に封止剤を充填する点である、
【００４４】
図５（ａ）は、第２実施形態における容器取付け工程を模式的に示す斜視図であり、図５（ｂ）は、封止剤の粘度の時間変化を示す概念図である。
図５（ａ）に示すように、第２実施形態で用いる容器片２０Ｂは、注入口２５が設けられていない点で、第１実施形態の容器片２０と異なっている。第２実施形態では、まず容器片２０Ｂ、２１において筒状部２２と天板部２３と底板部２４とに囲まれる部分に、硬化型の封止剤Ｑ２を充填する。充填する封止剤Ｑ２の量としては、継手部１を被覆するのに必要な量以上にする。ここでは、中空容器の容積の半分以上の体積の封止剤Ｑ２を、容器片２０Ｂ、２１のそれぞれに充填する。そして、容器片２０Ｂ、２１を第１実施形態と同様に組み立てることにより、中空容器内に封止剤Ｑ２が充填された状態で中空容器を形成する。
【００４５】
封止剤Ｑ２は、第１実施形態と同様のものであるが、充填時の粘度が第１実施形態と異なる。第２実施形態では、容器片２０Ｂ、２１に充填するときの封止剤Ｑ２の粘度を１５００ｃＰ以上にするとともに、容器片２０Ｂ、２１を組み立てるときの封止剤Ｑ２の粘度を３０００ｃＰ以下にする。封止剤Ｑ２の粘度を１５００ｃＰ以上にすれば、封止剤Ｑ２が組み立てる前の容器片２０Ｂ、２１から溢れ出すことが低減される。これにより、中空容器内に継手部１を被覆するのに必要な量の封止剤Ｑ２を留めることができる。封止剤Ｑ２の粘度を３０００ｃＰ以下にすれば、継手部１の表面形状に沿わせて中空容器内に封止剤Ｑを銃運転することができる。
【００４６】
図５（ｂ）に示すように、封止剤Ｑ２も第１実施形態と同様に硬化開始からの時間経過とともに粘度が高くなる。封止剤Ｑ２の粘度を管理するには、封止剤Ｑ２の硬化開始からの時間を管理すればよい。封止剤Ｑ２の粘度が１５００ｃＰになる時間をｔ３、３０００ｃＰになる時間をｔ４とすると、ｔ３経過後に容器片２０Ｂ、２１に封止剤Ｑ２の充填を開始し、ｔ４経過前に容器片２０Ｂ、２１を組み立てるとよい。そして、容器片２０Ｂ、２１からなる中空容器と継手部１との間に充填された封止剤Ｑ２を硬化させることにより、継手部１を被覆して封止する。
【００４７】
以上のような第２実施形態の配管補修方法にあっては、第１実施形態と同様に継手部１が硬化後の封止剤により隙間なく被覆され、流体の漏洩を止めることができる。また、硬化後の封止剤Ｑ１に流体の漏洩経路が形成されることが低減され、漏洩の再発を低減することができる。
【００４８】
また、充填時の封止剤Ｑ２の粘度が第１実施形態よりも高いので、継手部１から漏洩する流体が封止剤Ｑ２に混入し難くなり、封止剤Ｑ２に流体の混入による隙間を生じることが低減される。ところで、硬化型の封止剤として、流体に対して耐食性を示す材質のものを選択すると、中空容器に圧入することが困難なほどに封止剤の粘度が高いことがある。第２実施形態の配管補修方法によれば、前記のような高粘度の封止剤を用いて施工することが可能であり、第１実施形態の配管補修方法で対処することが困難な流体の漏洩を止めることも可能である。
【００４９】
なお、本発明の技術範囲は前記実施形態に限定されるものではない。本発明の主旨を逸脱しない範囲内で多様な変形が可能である。
第１、第２実施形態では継手部１の軸方向Ｄ１が鉛直方向と平行である場合について例示したが、軸方向Ｄ１が鉛直方向と異なっていてもよい。例えば、図６（ａ）に示すように、軸方向Ｄ１が鉛直方向と略直交する方向（水平方向）であってもよい。この場合に、第１実施形態の配管補修方法を採用するには、中空容器２Ｃの鉛直下方の端部に、注入口２５を設けるとともに、中空容器２Ｃの鉛直上方の端部に排気口２９を設けるとよい。
【００５０】
第１、第２実施形態では、継手部１が軸方向Ｄ１に延在している場合について例示したが、継手部１の形状には特に限定されない。例えば、図６（ｂ）に示すように、Ｔ字型の継手部１Ｂに本発明を適用することもできる。継手部１Ｂにおいて、第１軸方向Ｄ３に第１、第２配管が連結されている。２つの配管の連結部に、第１軸方向Ｄ３と略直交する第２軸方向Ｄ５に向かって、３つ目の配管が分岐されて連結されている。このような継手部１Ｂに対して本発明の配管補修方法を適用するには、継手部１Ｂを収容可能な中空容器２Ｄを用いればよい。このような中空容器２Ｄの形状としては、例えば第１軸方向Ｄ３に延在する円筒と、第２軸方向Ｄ５の円筒とを組み合わせた略Ｔ字型の円筒形状が挙げられる。Ｌ字型の継手部に対してもＴ字型の継手部と同様に、本発明の配管補修方法を適用することができる。本発明の配管補修方法は、複雑形状の継手部に対して特に有効であるが、
複雑形状以外の継手部に適用した場合にも本発明の効果を得ることができる。例えば、継手部としては、機械接合により配管が連結されたものの他に、溶接等によるものであってもよい。
【００５１】
中空容器は、継手部を収容可能なものであればよく、内面形状や外形については特に限定されない。中空容器は、例えば外形が略直方体の箱状のものであってもよいし、中空容器に仕切られる内部空間が略直方体になるものであってもよい。中空容器は、３以上に分割されたものでもよい。
【００５２】
配管を補修するタイミングとしては、流体の漏洩を検出した後でもよいし、流体の漏洩を検出する前に行ってもよい。流体の漏洩を生じる前に補修しておくことにより、流体の漏洩を予防することができる。
【００５３】
封止剤の硬化後に中空容器を取り外してもよいし、中空容器を取付けたまま保持しておき、硬化した樹脂をキズ等から保護するカバーとしてもよい。この場合には、樹脂材料よりも硬質の材料からなる中空容器を用いるとよい。
【符号の説明】
【００５４】
１、１Ｂ・・・継手部、２、２Ｃ、２Ｄ・・・中空容器、１０、１１・・・配管、
１２・・・筒状部品、１３・・・接合部品、２０、２０Ｂ、２１・・・容器片、
２２・・・筒状部、２３・・・天板部、２４・・・底板部、２５・・・注入口、
２６、２７・・・切欠、２８・・・接合面、２９・・・排気口、
３０、３１・・・バンド、３２・・・充填装置、Ａ１・・・中心軸、
Ｄ１・・・軸方向、Ｄ２・・・周方向、Ｄ３・・・第１軸方向、Ｄ４・・・第１周方向、
Ｄ５・・・第２軸方向、Ｄ６・・・第２周方向、Ｑ１、Ｑ２・・・封止剤、
１２０・・・筒状部品の内面、１２１、１２２・・・ネジ部、
１３０・・・接合部品の内面
【図１】
2011007308.tif 000003
【図２】
2011007308.tif 000004
【図３】
2011007308.tif 000005
【図４】
2011007308.tif 000006
【図５】
2011007308.tif 000007
【図６】
2011007308.tif 000008